(57)【要約】【課題】  イメージセンサの揺れを抑制すること。【解決手段】  読取装置１５３は、原稿が載置される流し読みガラス１２０とコンタクトガラス１１０との間に配設されたステー１３０と、原稿を読み取るイメージセンサ１０１と、イメージセンサに設けられて、かつ圧縮コイルばね１１５に付勢されて流し読みガラス及びコンタクトガラスに接触してイメージセンサを流し読みガラス及びコンタクトガラスに対して隙間を生じさせた状態で、流し読みガラス及びコンタクトガラスの下面を移動可能なスペーサ１１１と、スペーサがステーの下方を通過するときイメージセンサとスペーサとをステーから遠ざけるローラ及びガイド部材と、スペーサがステーの下方を通過してローラ及びガイド部材による遠ざける動作を解除されるとき、スペーサのスペーサ移動方向の先端側を後端側より先にガラスに接触するようにスペーサを傾斜させる突起部１１４とを備えている。【選択図】  図７
2006115031.tif 000002
【特許請求の範囲】
【請求項１】
原稿が載置される平面的に配設された第１ガラス及び第２ガラスと、
前記第１ガラス及び第２ガラスの間に配設された介在部材と、
前記原稿を読み取るイメージセンサと、
前記イメージセンサに設けられて、かつ付勢手段に付勢されて前記第１ガラス及び第２ガラスに接触して前記イメージセンサを前記第１ガラス及び第２ガラスに対して隙間を生じさせた状態で、前記イメージセンサとともに前記第１ガラス及び第２ガラスの下面を移動可能なスペーサと、
前記スペーサが前記介在部材の下方を通過するとき前記イメージセンサと前記スペーサとを前記介在部材から遠ざける離間手段と、
前記スペーサが前記介在部材の下方を通過して前記離間手段による前記遠ざける動作を解除されるとき、前記スペーサのスペーサ移動方向の先端側を後端側より先にガラスに接触するように前記スペーサを傾斜させる傾斜手段と、
を備えていることを特徴とする読取装置。
【請求項２】
前記傾斜手段が、前記スペーサの前記先端側に設けられて、前記付勢手段の一部分を受け止める突起部であることを特徴とする請求項１に記載の読取装置。
【請求項３】
前記傾斜手段が、前記スペーサの前記後端側に形成されて、前記付勢手段の一部分を受け止める凹部であることを特徴とする請求項１又は２に記載の読取装置。
【請求項４】
前記傾斜手段が、前記イメージセンサに設けられて前記付勢手段を受け止める傾斜部材であり、前記傾斜部材は、前記スペーサのスペーサ移動方向の上流側部を下流側部より前記ガラスから遠ざけられていることを特徴とする請求項１乃至３のいずれか１項に記載の読取装置。
【請求項５】
前記傾斜手段が、前記付勢手段と兼用された縦にした圧縮コイルばねであり、前記圧縮コイルばねの上端部を下端部より前記スペーサ移動方向の上流側に傾いていることを特徴とする請求項１に記載の読取装置。
【請求項６】
前記スペーサが、前記スペーサの移動方向の中間部分に、前記スペーサの移動方向に沿った長さを有して前記第１ガラス及び第２ガラスに接触する接触部を有していることを特徴とする請求項１乃至４のいずれか１項に記載の読取装置。
【請求項７】
原稿を読み取る読取装置と、
前記読取装置の読取情報に基づいてシートに画像を形成する画像形成手段と、を備え、
前記読取装置が、請求項１乃至６のいずれか１項に記載の読取装置であることを特徴とする画像形成装置。
【請求項８】
原稿を読み取る読取装置と、
前記読取装置の読取情報に基づいてシートに画像を形成する画像形成手段と、を備え、
前記読取装置が、
原稿が載置される平面的に配設された第１ガラス及び第２ガラスと、
前記第１ガラス及び第２ガラスの間に配設された介在部材と、
前記原稿を読み取るイメージセンサと、
前記イメージセンサに設けられて、かつ付勢手段に付勢されて前記第１ガラス及び第２ガラスに接触して前記イメージセンサを前記第１ガラス及び第２ガラスに対して隙間を生じさせた状態で、前記第１ガラス及び第２ガラスの下面を移動可能なスペーサと、
前記スペーサが前記介在部材の下方を通過するとき前記イメージセンサと前記スペーサとを前記介在部材から遠ざける離間手段と、
前記スペーサが前記介在部材の下方を通過して前記離間手段による前記遠ざける動作を解除されるとき、前記スペーサのスペーサ移動方向の先端側を後端側より先にガラスに接触するように前記スペーサを傾斜させる傾斜手段と、
を備えていることを特徴とする画像形成装置。
【発明の詳細な説明】
【技術分野】
【０００１】
本発明は、イメージセンサを用いて原稿を読み取る読取装置と、この読取装置を装置本体に備えた画像形成装置とに関する。
【背景技術】
【０００２】
従来、読取装置は、イメージセンサを用いて原稿の画像情報を読み取るようになっており、例えば、画像形成装置の装置本体に設けられるようになっている（特許文献１参照）。読取装置を備えた画像形成装置は、読取装置の画像情報に基づいて、シートに原稿を複写するようになっている。
【０００３】
図１２は、従来の読取装置の要部概略正面図である。読取装置５３は、原稿が載置される上面を揃えて平面的に配設されたコンタクトガラス１０及び流し読みガラス２０と、コンタクトガラス１０と流し読みガラス２０とを支持するステー３０と、原稿を読み取るイメージセンサ１と、スペーサ１１と、イメージセンサ１とスペーサ１１を支持してコンタクトガラス１０及び流し読みガラス２０の下を移動する走行体２と、スペーサ１１がステー３０の下方を通過するとき、イメージセンサ１とスペーサ１１とをステー３０から遠ざけるころ１７及びガイド部材４０等を備えている。
【０００４】
スペーサ１１は、イメージセンサ１に設けられて、かつ圧縮コイルばね１５に付勢されてコンタクトガラス１０及び流し読みガラス２０に接触してイメージセンサ１をコンタクトガラス１０及び流し読みガラス２０に対し隙間を生じさせた状態で、コンタクトガラス１０及び流し読みガラス２０の下面を移動できるようになっている。ころ１７はイメージセンサ１に設けられている。ガイド部材４０は固定部材に設けてある。
【０００５】
読取装置５３は、イメージセンサ１を流し読みガラス２０の下に停止させて、流し読みガラス２０上を通過する原稿を読み取ることができるようになっている。この読み方を一般に流し読みと言われている。
【０００６】
また、読取装置５３は、イメージセンサ１をコンタクトガラス１０の下を移動させて、ユーザによってコンタクトガラス１０に置かれた原稿を読み取ることができるようになっている。この読み方を一般に固定読みと言われている。
【０００７】
従来の読取装置５３は、原稿を固定読みするとき、イメージセンサ１の焦点距離に合わせて、イメージセンサ１をコンタクトガラス１０に対して距離を一定に保って移動するようになっていなければ読取精度が低下する。このため、従来の読取装置５３は、イメージセンサ１を有するスペーサ１１を圧縮コイルばね１５によってコンタクトガラス１０に押し付けて、コンタクトガラス１０が多少捻じれてもイメージセンサ１とコンタクトガラス１０との距離を一定に保てるようにしてある。このため、スペーサ１１が、コンタクトガラス１０及び流し読みガラス２０とイメージセンサ１との間に隙間を生じさせている。
【０００８】
読取装置５３は、流し読み状態から固定読み状態に切り替えるとき、イメージセンサ１を流し読みガラス２０の下からコンタクトガラス１０の下に移動させる必要がある。この場合、スペーサ１１がステー３０の下を通過するとき、イメージセンサ１がステー３０に干渉しないようにする必要がある。このため、従来の読取装置５３は、スペーサ１１に設けたころ１７がガイド部材４０に乗り上がって通過することによって、イメージセンサ１をステー３０から、一旦遠ざけている。
【０００９】
【特許文献１】特開平１１−６９１０６号公報
【発明の開示】
【発明が解決しようとする課題】
【００１０】
しかし、最近の読取装置は、読み取りの高速化のため読み取り走査の速度を上げたり、読み取り装置を小型にするためコンタクトガラス１０の端部近くまで、すなわちステー３０近くまで、読み取り領域を広げたりしていることが多い。
【００１１】
このため、従来の読取装置５３を流し読み状態から固定読み状態に切り替えるとき、スペーサ１１がステー３０の下を通過するとき、スペーサ１１に設けたころ１７がガイド部材４０に勢いよく乗り上がって通過するため、スペーサ１１が振動し、その振動が治まらないうちに、コンタクトガラス１０に接触することがある。このとき、図１２に示すように、スペーサ１１の振動に伴って、イメージセンサ１も振動する。ところが、読取領域をコンタクトガラス１０の端部近くまで広げてあるため、イメージセンサ１は、振動が治まらないうちに、原稿の読み取りを開始する。この結果、従来の読取装置５３は、画像読取振れが発生し、読み取り精度が低かった。
【００１２】
本発明は、イメージセンサの振動を短時間で収束させて、画像読取振れを少なくした読取装置を提供することを目的としている。
【００１３】
本発明は、画像読取振れの少ない読取装置を備えて、画像形成精度を高めた画像形成装置を提供することを目的としている。
【課題を解決するための手段】
【００１４】
上記目的を達成するため、本発明の読取装置は、原稿が載置される平面的に配設された第１ガラス及び第２ガラスと、前記第１ガラス及び第２ガラスの間に配設された介在部材と、前記原稿を読み取るイメージセンサと、前記イメージセンサに設けられて、かつ付勢手段に付勢されて前記第１ガラス及び第２ガラスに接触して前記イメージセンサを前記第１ガラス及び第２ガラスに対して隙間を生じさせた状態で、前記イメージセンサとともに前記第１ガラス及び第２ガラスの下面を移動可能なスペーサと、前記スペーサが前記介在部材の下方を通過するとき前記イメージセンサと前記スペーサとを前記介在部材から遠ざける離間手段と、前記スペーサが前記介在部材の下方を通過して前記離間手段による前記遠ざける動作を解除されるとき、前記スペーサのスペーサ移動方向の先端側を後端側より先にガラスに接触するように前記スペーサを傾斜させる傾斜手段と、を備えている。
【００１５】
本発明の読取装置における、前記傾斜手段は、前記スペーサの前記先端側に設けられて、前記付勢手段の一部分を受け止める突起部である。
【００１６】
本発明の読取装置における、前記傾斜手段は、前記スペーサの前記後端側に形成されて、前記付勢手段の一部分を受け止める凹部である。
【００１７】
本発明の読取装置における、前記傾斜手段は、前記イメージセンサに設けられて前記付勢手段を受け止める傾斜部材であり、前記傾斜部材は、前記スペーサのスペーサ移動方向の上流側部を下流側部より前記ガラスから遠ざけられている。
【００１８】
本発明の読取装置における、前記傾斜手段は、前記付勢手段と兼用された縦にした圧縮コイルばねであり、前記圧縮コイルばねの上端部を下端部より前記スペーサ移動方向の上流側に傾いている。
【００１９】
本発明の読取装置における、前記スペーサは、前記スペーサの移動方向の中間部分に、前記スペーサの移動方向に沿った長さを有して前記第１ガラス及び第２ガラスに接触する接触部を有している。
【００２０】
本発明の画像形成装置は、原稿を読み取る読取装置と、前記読取装置の読取情報に基づいてシートに画像を形成する画像形成手段と、を備え、前記読取装置が、上記いずれか１つの読取装置である。
【００２１】
本発明の画像形成装置は、原稿を読み取る読取装置と、前記読取装置の読取情報に基づいてシートに画像を形成する画像形成手段と、を備え、前記読取装置が、原稿が載置される平面的に配設された第１ガラス及び第２ガラスと、前記第１ガラス及び第２ガラスの間に配設された介在部材と、前記原稿を読み取るイメージセンサと、前記イメージセンサに設けられて、かつ付勢手段に付勢されて前記第１ガラス及び第２ガラスに接触して前記イメージセンサを前記第１ガラス及び第２ガラスに対して隙間を生じさせた状態で、前記第１ガラス及び第２ガラスの下面を移動可能なスペーサと、前記スペーサが前記介在部材の下方を通過するとき前記イメージセンサと前記スペーサとを前記介在部材から遠ざける離間手段と、前記スペーサが前記介在部材の下方を通過して前記離間手段による前記遠ざける動作を解除されるとき、前記スペーサのスペーサ移動方向の先端側を後端側より先にガラスに接触するように前記スペーサを傾斜させる傾斜手段と、を備えている。
【発明の効果】
【００２２】
本発明の読取装置は、スペーサが介在部材の下方を通過して離間手段による遠ざける動作を解除されるとき、スペーサのスペーサ移動方向の先端側（走査方向先端側）を後端側より先にガラスに接触するようにスペーサを傾斜させる傾斜手段とを備えているので、イメージセンサが介在部材の下方を離間手段の案内によって通過し終わるとき、傾斜手段によって傾斜してガラスに接触して、防振効果が生じて振動が速やかに収束されるようになっている。このため、本発明の読取装置は、イメージセンサの振動が早く治まるので、画像読取精度を高めて、読取走査速度を速くしたり、装置自体を小型にしたりすることができる。
【００２３】
本発明の読取装置は、傾斜手段がスペーサに設けた突起部であるので、部品を増やすことなく、装置自体を小型化にすることができる。
【００２４】
本発明の読取装置は、傾斜手段がスペーサに形成した凹部であるので、部品を増やすことなく、装置自体を小型にすることができる。
【００２５】
本発明の読取装置は、傾斜手段がイメージセンサに設けた傾斜部材であるので、部品を増やすことなく、装置自体を小型にすることができる。
【００２６】
本発明の読取装置は、傾斜手段が、付勢手段と兼用された縦にした圧縮コイルばねであるので、部品を増やすことなく、装置自体を小型にすることができる。
【００２７】
本発明の読取装置は、前記スペーサに、スペーサの移動方向の中間部分に、スペーサの移動方向に沿った長さを有して第１ガラス及び第２ガラスに接触する接触部を設けてあるので、ガラスに対するスペーサの摩擦を少なくして、安定した状態でイメージセンサを移動させることができて、画像読取精度を高めることができる。
【００２８】
本発明の画像形成装置は、画像読取振れの少ない読取装置を備えているので、画像形成精度を高めることができる。
【発明を実施するための最良の形態】
【００２９】
以下、本発明の実施形態の読取装置と、この読取装置を備えた画像形成装置とを図に基づいて説明する。
【００３０】
（複写機）
図１は、本発明の実施形態の画像形成装置である例えば複写機の概略正面断面図である。画像形成装置には、複写機、プリンタ、ファクシミリ、及びこれらの複合機等があるので、本発明の画像形成装置は、複写機に限定されるものではない。
【００３１】
画像形成装置である例えば複写機１５１は、プリンタ部である装置本体１５２と、この装置本体１５２上に装備した読取装置１５３と、読取装置１５３に原稿を自動的に供給する原稿自動供給装置１５５とを備えている。
【００３２】
装置本体１５２の内部を説明する。読取装置１５３で読み取られた原稿の画像情報は、コンタクトローラ１６１を介してレーザビームスキャナ１６２によって、感光体ドラム１６３上に静電潜像として形成される。感光体ドラム１６３の表面は、静電潜像が形成される前、予め一次帯電器１６４によって、一様に帯電してある。感光体ドラム１６３の静電潜像は、現像器１６５によって、現像剤であるトナーによって現像されて、トナー像となる。
【００３３】
一方、シート供給ローラ１６６は、シート供給カセット１６７の中の中板１６５に積載してあるシートＰを、シート供給カセット１６７から送り出す。搬送ローラ対１６８は、シートをレジストローラ対１６９に送り込む。レジストローラ対１６９は、回転を停止している状態でシートを受け止めて、シートに撓みを形成させて、シートの斜行を真っ直ぐに直す。
【００３４】
レジストローラ対１６９は、斜行取りしたシートの先端を感光体ドラム１６３上のトナー像に合わせて、シートを感光体ドラム１６３に送り込む。転写器１７０は、トナー像をシートに転写する。その後、搬送ベルト１７１は、シートを定着器１７２に送り込む。定着器１７２は、シートを加熱加圧して、シートにトナー像を定着して、排出トレイ１７３に排出する。感光体ドラム１６３に残ったトナーは、クリーナ１７４によって除去される。
【００３５】
（読取装置）
図２は、本発明の実施形態における読取装置の概略斜視図である。
【００３６】
読取装置１５３は、イメージセンサ１０１で原稿を読み取るようになっている。読取装置１５３は、読み取った情報をプリンタ部である装置本体１５２に送る他に、パソコン、ファクシミリ等の外部機器にも送信できるようになっている。
【００３７】
読取装置１５３は、密着型イメージセンサ１０１、このイメージセンサ１０１を支持する走行体１０２、走行体１０２を案内するガイドシャフト１０３、駆動モータ１０４、同軸プーリ１０５、プーリ１０６、駆動モータ１０４の回転軸（不図示）と同軸プーリ１０５とに掛け渡したタイミングベルト１０７、同軸プーリ１０５とプーリ１０６とに掛け渡したタイミングベルト１０８、読取装置１５３の装置本体１５４に設けられて、走行体１０２がホームポジションに居るか否かを検知するホームポジションセンサ１０９、第２ガラスである例えばコンタクトガラス１１０、原稿自動供給装置１５５から原稿が送り込まれてくる第１ガラスである例えば流し読みガラス１２０、コンタクトガラス１１０と流し読みガラス１２０とを装置本体１５４に支持する介在部材である例えばステー１３０等を備えている。
【００３８】
ガイドシャフト１０３は、イメージセンサ１０１の長手方向に対して直角方向に伸びるように配置されており、イメージセンサ１０１を装着した走行体１０２を往復移動案内できるように装置本体１５４に設置されている。タイミングベルト１０８は、ガイドシャフト１０３に略平行に架設されており、このタイミングベルト１０８の一部が走行体１０２に係合している。駆動モータ１０４の回転は、タイミングベルト１０７、同軸プーリ１０５を介してタイミングベルト１０８に伝達されるようになっている。
【００３９】
したがって、駆動モータ１０４によって、タイミングベルト１０８が循環すると、タイミングベルト１０８に連動して走行体１０２が移動し、イメージセンサ１０１がコンタクトガラス１１０，１２０の下側において移動する。イメージセンサ１０１の移動方向は、駆動モータ１０４の正逆回転により変えることができる。
【００４０】
図３は、イメージセンサ１０１を走行体１０２に支持する機構の分解斜視図である。図４は図３の部分拡大図である。図５は、イメージセンサが流し読みガラスの下にいるときの図である。図６は、イメージセンサがステーの下を通過しているときの図である。図７は、イメージセンサに設けたスペーサが図６の状態からコンタクトガラスに傾いて接触したときの図である。図８は、イメージセンサが図７に示す状態からコンタクトガラスの下を移動して、原稿を固定読みしているときの状態図である。
【００４１】
スペーサ１１１は、イメージセンサ１０１の長手方向両端部の上部に設けられている。延出部１１２はイメージセンサ１０１の長手方向両端部から長手方向に沿って延出しており、長孔１１３が形成されている。長孔１１３は、イメージセンサ１０１の長手方向に沿った長い孔である。付勢手段である例えば圧縮コイルばね１１５は、走行体１０２に設けられた軸突起１１６に嵌挿されている。
【００４２】
軸突起１１６に、圧縮コイルばね１１５と、長孔１１３とを嵌挿させることで、イメージセンサ１０１が走行体１０２に装着される。さらに、走行体１０２を装置本体１５４に装着すると、図５、図８に示すようにイメージセンサ１０１が圧縮コイルばね１１５に押されて、スペーサ１１１が流し読みガラス１２０又はコンタクトガラス１１０の下面１２０ａ，１１０ａに当接する。スペーサ１１１は、接触部１１９（図４参照）で、流し読みガラス１２０又はコンタクトガラス１１０に当接する。接触部１１９は、スペーサ１１１の上部に突設されている。接触部１１９は、スペーサ移動方向の中間部分に、スペーサ１１１の移動方向に沿った長さを有している。
【００４３】
スペーサ１１１がガラス１２０，１１０に接触することによって、イメージセンサ１０１と流し読みガラス１２０又はコンタクトガラス１１０との間には一定の隙間（不図示）が形成される。
【００４４】
この隙間は、イメージセンサ１０１を有するスペーサ１１１を圧縮コイルばね１１５によってコンタクトガラス１１０に押し付けて、コンタクトガラス１１０が多少捻じれてもイメージセンサ１０１とコンタクトガラス１１０との距離を一定に保つために形成されている。この隙間によって、イメージセンサ１０１の焦点距離に合わせて、イメージセンサ１０１をコンタクトガラス１１０に対する距離を一定に保つことができて、読取精度の低下を防止することができる。
【００４５】
走行体１０２は、図８に矢印で示す読み取り方向に移動すると、スペーサ１１１がコンタクトガラス１１０の下面１１０ａを摺動して、イメージセンサ１０１とともに同じ方向へ移動するようになっている。
【００４６】
以上の構成の読取装置１５３は、イメージセンサ１０１を流し読みガラス１２０の下に停止させて、流し読みガラス１２０上を原稿自動供給装置１５５によって供給されて通過する原稿を読み取ることができるようになっている。この読み方を一般に流し読みと言われている。
【００４７】
また、読取装置１５３は、イメージセンサ１０１をコンタクトガラス１１０の下を移動させて、ユーザによってコンタクトガラス１１０に置かれた原稿を読み取ることができるようになっている。この読み方を一般に固定読みと言われている。
【００４８】
読取装置１５３は、流し読み状態から固定読み状態に切り替えるとき、イメージセンサ１０１を流し読みガラス１２０の下からコンタクトガラス１１０の下に移動させる必要がある。このとき、イメージセンサ１０１とスペーサ１１１は、ステー１３０に干渉しないでステー１３０の下を通過する必要がある。このため、ころ１１７がガイド部材１４０に乗り上がって通過することによって、イメージセンサ１０１とスペーサ１１１が、ステー１３０から、一旦遠ざかるようになっている。ころ１１７は延出部１１２を介してイメージセンサ１０１に設けられている。ガイド部材１４０は装置本体１５４に設けてある。ころ１１７とガイド部材１４０の組み合わせは、離間手段の一例である。
【００４９】
ところが、スペーサ１１１がステー１３０の下を通過するとき、延出部１１２を介してイメージセンサ１０１に設けたころ１１７がガイド部材１４０に勢いよく乗り上がって通過して、イメージセンサ１０１が振動し、その振動が治まらないうちに、スペーサ１１１がコンタクトガラス１１０に接触することがある。このとき、イメージセンサ１０１が振動しながら原稿の読み取りを開始することがある。このようなとき、読取装置１５３の読み取り精度が低下することになる。
【００５０】
そこで、本発明の読取装置１５３は、図７に示すように、スペーサ１１１の延出部１１２の下面１１２ａに下向きの突起部１１４を突設してある。傾斜手段である例えば突起部１１４は、圧縮コイルばね１１８を受け止める位置で、かつイメージセンサ１０１とスペーサ１１１が移動して行く方向の先端側に突設してある。このように、スペーサ１１１に突起部１１４を設けると、圧縮コイルばね１１５の突起部１１４に接触している側（図７で右側）が、反対側（図７で左側）より圧縮されることになり、圧縮コイルばね１１５は、スペーサ１１１が移動して行く方向の先端側をコンタクトガラス１１０に接近させる力をスペーサ１１１に加えることになる。すなわち、突起部１１４があることによって、圧縮コイルばね１１５が図７において、スペーサ１１１に右肩上がりの力を加えるようになっている。
【００５１】
したがって、スペーサ１１１は、ころ１１７がガイド部材１４０を通過しているとき、ガラス１２０，１１０から離れているため、圧縮コイルばね１１５によって、前述した右肩上がりの状態になって移動することになる。このため、スペーサ１１１は、ころ１１７がガイド部材１４０の斜面１４０ａを下っているとき接触部１１９の先端１１９ａ（イメージセンサ１０１の走査方向先端側）がコンタクトガラス１１０に接触し、その後、接触部１１９全体がコンタクトガラス１１０に接触して、傾きの無い正常な姿勢になる。
【００５２】
よって、本実施形態における読取装置１５３は、スペーサ１１１が突起部１１４によって傾いている分だけ、従来のスペーサより早くコンタクトガラス１１０に接触して、防振効果が生じて振動が早く収束されることになり、画像読取精度を高めて、読取走査速度を速くしたり、装置自体を小型にしたりすることができる。
【００５３】
なお、スペーサを傾けるのに、突起部１１４以外に次のような構造がある。
【００５４】
図９に示すスペーサ２１１は、延出部２１２の下面２１２ａに傾斜手段である例えば凹部２１４を形成してある。凹部２１４は、圧縮コイルばね１１８を受け止める位置で、かつスペーサ２１１が移動して行く方向の後端側に形成してある。このように、スペーサ２１１に凹部２１４を設けると、圧縮コイルばね１１５の凹部２１４に接触している側（図９で左側）が、反対側（図９で右側）より圧縮されていないことになり、圧縮コイルばね１１５は、スペーサ２１１が移動して行く方向の先端側をコンタクトガラス１１０に接近させる力をスペーサ２１１に加えることになる。すなわち、凹部２１４があることによって、圧縮コイルばね１１５が図９において、スペーサ２１１に右肩上がりの力を加えるようになっている。
【００５５】
したがって、スペーサ２１１は、ころ１１７がガイド部材１４０を通過しているとき、ガラス１２０，１１０から離れているため、圧縮コイルばね１１５によって、前述した右肩上がりの状態になって移動することになる。このため、スペーサ２１１は、ころ１１７がガイド部材１４０の斜面１４０ａを下っているとき接触部１１９の先端１１９ａ（イメージセンサ１０１の走査方向先端側）がコンタクトガラス１１０に接触し、その後、接触部１１９全体がコンタクトガラス１１０に接触して、傾きの無い正常な姿勢になる。
【００５６】
よって、本実施形態における読取装置２５３も、スペーサ１１１が凹部２１４によって傾いている分だけ、従来のスペーサより早くコンタクトガラス１１０に接触して、防振効果が生じて振動が早く収束されることになり、画像読取精度を高めて、読取走査速度を速くしたり、装置自体を小型にしたりすることができる。
【００５７】
図１０に示すスペーサ３１１は、傾斜手段であり傾斜部材である例えば延出部３１２を傾斜させてある。延出部３１２は、スペーサ３１１が移動して行く方の下流側部３１２ａを、上流側部３２１ｂよりもコンタクトガラス１１０から遠ざけてある。このように延出部３１２を傾斜させると、圧縮コイルばね１１５のスペーサ移動方向の下流側（図１０で右側）が、上流側（図１０で左側）より圧縮されることになり、圧縮コイルばね１１５は、スペーサ３１１が移動して行く方向の先端側をコンタクトガラス１１０に接近させる力をスペーサ３１１に加えることになる。すなわち、延出部３１２が傾いていることによって、圧縮コイルばね１１５が図１０において、スペーサ３１１に右肩上がりの力を加えるようになっている。
【００５８】
したがって、スペーサ３１１は、ころ１１７がガイド部材１４０を通過しているとき、ガラス１２０，１１０から離れているため、圧縮コイルばね１１５によって、前延した右肩上がりの状態になって移動することになる。このため、スペーサ３１１は、ころ１１７がガイド部材１４０の斜面１４０ａを下っているとき接触部１１９の先端１１９ａ（イメージセンサ１０１の走査方向先端側）がコンタクトガラス１１０に接触し、その後、接触部１１９全体がコンタクトガラス１１０に接触して、傾きの無い正常な姿勢になる。
【００５９】
よって、本実施形態における読取装置３５３も、スペーサ３１１が延出部３１２によって傾いている分だけ、従来のスペーサより早くコンタクトガラス１１０に接触して、防振効果が生じて振動が早く収束されることになり、画像読取精度を高めて、読取走査速度を速くしたり、装置自体を小型にしたりすることができる。
【００６０】
図１１に示す読取装置４５３は、傾斜手段であり付勢手段である例えば斜めにした圧縮コイルばね４１５を有している。圧縮コイルばね４１５は、スペーサ３１１が移動して行く方向の後方側（上流側）に傾いている。このように圧縮コイルばね４１５は、傾斜していることによって、スペーサ１１１が移動して行く方向の先端側をコンタクトガラス１１０に接近させる力をスペーサ１１１に加えることになる。すなわち、圧縮コイルばね４１５は、図１０において、スペーサ１１１に右肩上がりの力を加えるようになっている。
【００６１】
したがって、スペーサ１１１は、ころ１１７がガイド部材１４０を通過しているとき、ガラス１２０，１１０から離れているため、圧縮コイルばね４１５によって、前述した右肩上がりの状態になって移動することになる。このため、スペーサ１１１は、ころ１１７がガイド部材１４０の斜面１４０ａを下っているとき接触部１１９の先端１１９ａ（イメージセンサの走査方向先端側）がコンタクトガラス１１０に接触し、その後、接触部１１９全体がコンタクトガラス１１０に接触して、傾きの無い正常な姿勢になる。
【００６２】
よって、本実施形態における読取装置４５３も、スペーサ１１１が圧縮コイルばね４１５によって傾いている分だけ、従来のスペーサより早くコンタクトガラス１１０に接触して、防振効果が生じて振動が早く収束されることになり、画像読取精度を高めて、読取走査速度を速くしたり、装置自体を小型にしたりすることができる。
【図面の簡単な説明】
【００６３】
【図１】本発明の実施形態の画像形成装置である例えば複写機の概略正面断面図である。
【図２】本発明の実施形態における読取装置の概略斜視図である。
【図３】イメージセンサを走行体に支持する機構の分解斜視図である。
【図４】図３の部分拡大図である。
【図５】イメージセンサが流し読みガラスの下にいて、原稿の流し読みを行える状態になっているときの図である。
【図６】イメージセンサがステーの下を通過しているときの図である。
【図７】イメージセンサに設けたスペーサが図６の状態からコンタクトガラスに傾いて接触したときの図である。
【図８】イメージセンサが図７に示す状態からコンタクトガラスの下を移動して、原稿を固定読みしているときの状態図である。
【図９】他の実施形態における読取装置の正面図である。
【図１０】他の実施形態における読取装置の正面図である。
【図１１】他の実施形態における読取装置の正面図である。
【図１２】従来の読取装置の主要部分の正面図である。
【符号の説明】
【００６４】
１０１      密着型イメージセンサ
１０２      走行体
１１０      コンタクトガラス（第２ガラス）
１１０ａ    コンタクトガラスの下面
１１１      スペーサ
１１２      延出部
１１２ａ    延出部の下面
１１３      長孔
１１４      突起部（傾斜手段）
１１５      圧縮コイルばね（付勢手段）
１１７      ころ（離間手段）
１１９      接触部
１１９ａ    接触部の先端
１２０      流し読みガラス（第１ガラス）
１３０      ステー（介在部材）
１４０      ガイド部材（離間手段）
１４０ａ    斜面
１５１      複写機（画像形成装置）
１５２      複写機（画像形成装置）の装置本体
１５３      読取装置
１５４      読取装置の装置本体
１５５      原稿自動供給装置
１６３      感光体ドラム（画像形成手段）
２１１      スペーサ
２１２      延出部
２１４      凹部（傾斜手段）
２５３      読取装置
３１１      スペーサ
３１２      延出部（傾斜手段、傾斜部材）
３５３      読取装置
４１５      圧縮コイルばね（傾斜手段、付勢手段）
４３５      読取装置
【図１】
2006115031.tif 000003
【図２】
2006115031.tif 000004
【図３】
2006115031.tif 000005
【図４】
2006115031.tif 000006
【図５】
2006115031.tif 000007
【図６】
2006115031.tif 000008
【図７】
2006115031.tif 000009
【図８】
2006115031.tif 000010
【図９】
2006115031.tif 000011
【図１０】
2006115031.tif 000012
【図１１】
2006115031.tif 000013
【図１２】
2006115031.tif 000014